(57)【特許請求の範囲】
【請求項１】
押釦ハンドルが押し込まれたときに、この押釦ハンドルの押し込み動作にともなって反転ハンドルを反転回動させ、この反転ハンドルの反転回動に応じて接点部の切り換えを行うようにした押釦スイッチと、該接点部の切り換えを行うようにした押釦スイッチの上部に取付けられ上記押釦ハンドルをピアノタッチ操作で押圧する合成樹脂製のピアノハンドルとを備え、このピアノハンドルの表面側には、ピアノハンドルの裏面側との間で連通するネームカード出し入れ用の窓を底に開口した凹平面を設け、この凹平面内には上記窓に対応するようにピアノハンドルの裏面側から配置したネームカードが表面から見えるように光透過部位を備えた樹脂製のネームカバーを固着し、上記窓に対応して上記ピアノハンドルの裏面側から開閉する扉を、該扉の一端部の両側に突設した軸体を上記ピアノハンドル側に設けた軸受け部に回動自在に嵌め込むことで上記ピアノハンドルに開閉自在に枢支するとともに、扉の他端部の両側に、上記ピアノハンドル側に設けた係止部に係合して閉じられた状態を固持させる突起を設けていることを特徴とするピアノハンドル式スイッチ。
【請求項２】
扉には逆組防止の手段を設けて成ることを特徴とする請求項１記載のピアノハンドル式スイッチ。
【請求項３】
ネームカバーを成形する際に成形金型に、インク層を裏面に形成したフィルムを入れて成形時にインク層が表面に転写されたネームカバーを用いたことを特徴とする請求項１又は２記載のピアノハンドル式スイッチ。
【請求項４】
インク層を裏面に形成したフィルムを表面に重ねてホットスタンプによりインク層が表面に転写されたネームカバーを用いたことを特徴とする請求項１又は２記載のピアノハンドル式スイッチ。
【発明の詳細な説明】
【０００１】
【発明の属する技術分野】
本発明は、ピアノタッチ操作で接点部の接点切換を行うピアノハンドル式スイッチのネームカードの収納部の構造に関するものである。
【０００２】
【従来の技術】
従来から図３３に示すようなピアノハンドル式スイッチが知られている。このピアノハンドル式スイッチは、押釦ハンドル３２が押し込まれたときに、この押釦ハンドル３２の押し込み動作にともなって反転ハンドル３１を反転回動させ、この反転ハンドル３１の反転回動に応じて接点部１００の切り換えを行うようにした押釦スイッチ５と、押釦スイッチ５の上部に取付けられ上記押釦ハンドル３２をピアノタッチ操作で押圧するピアノハンドル４３とを備えたものである。そして、ピアノハンドル４３のピアノタッチの操作により押釦スイッチ５の接点部１００を切り換えるようにしている。ピアノハンドル４３に、枢支端側の下面から一対の回動片４３ａを垂設すると共に、押圧操作端側の下面から押釦スイッチ５からの抜け止め用の一対の抜止片４３ｂを垂設してある。上記回動片４３ａはカバー５ｂに形成された凹部５４に係合され、抜止片４３ｂが空所１２内に挿入され、抜止片４３ｂ側の押圧操作端側を押圧すると、回動片４３ａ側を支点としてピアノタッチ式に回動するようになっている。図中２は取付枠である。
【０００３】
【発明が解決しようとする課題】
ところで、上記の従来のピアノハンドル式スイッチではピアノハンドルの表面に凹平面を設け、この凹平面にネームカードを入れ凹平面にネームカバーを嵌め込むネームカード収納部の構造を持っているものがあったが、しかしながら使用中にネームカバーが簡単に外れてしまい、ネームカバーの紛失、破損等の恐れがあった。
【０００４】
本発明は上記問題点に鑑みて為されたもので、その目的とするところはネームカバーが外れないネームカード収納部の構造を持ち、且つピアノハンドルの裏面からネームカードの出し入れが容易に行えるピアノハンドル式スイッチを提供するにある。
【０００５】
【課題を解決するための手段】
上記目的を達成するために、請求項１の発明では、押釦ハンドルが押し込まれたときに、この押釦ハンドルの押し込み動作にともなって反転ハンドルを反転回動させ、この反転ハンドルの反転回動に応じて接点部の切り換えを行うようにした押釦スイッチと、該接点部の切り換えを行うようにした押釦スイッチの上部に取付けられ上記押釦ハンドルをピアノタッチ操作で押圧する合成樹脂製のピアノハンドルとを備え、このピアノハンドルの表面側には、ピアノハンドルの裏面側との間で連通するネームカード出し入れ用の窓を底に開口した凹平面を設け、この凹平面内には上記窓に対応するようにピアノハンドルの裏面側から配置したネームカードが表面から見えるように光透過部位を備えた樹脂製のネームカバーを固着し、上記窓に対応して上記ピアノハンドルの裏面側から開閉する扉を、該扉の一端部の両側に突設した軸体を上記ピアノハンドル側に設けた軸受け部に回動自在に嵌め込むことで上記ピアノハンドルに開閉自在に枢支するとともに、扉の他端部の両側に、上記ピアノハンドル側に設けた係止部に係合して閉じられた状態を固持させる突起を設けていることを特徴とする。
【００１０】
請求項２の発明では、請求項１の発明において、扉には逆組防止の手段を設けて成ることを特徴とする。
【００１３】
請求項３の発明では、請求項１又は２の発明において、ネームカバーを成形する際に成形金型に、インク層を裏面に形成したフィルムを入れて成形時にインク層が表面に転写されたネームカバーを用いたことを特徴とする。
請求項４の発明では、請求項１又は２の発明において、インク層を裏面に形成したフィルムを表面に重ねてホットスタンプによりインク層が表面に転写されたネームカバーを用いたことを特徴とする。
【００１４】
【発明の実施の形態】
以下、本発明を実施形態により説明する。
まずピアノハンドル式スイッチの基本的構造から説明する。本発明のピアノハンドル式スイッチは、図１、図３、図４に示すように、押釦ハンドル３２の押圧操作により接点部の接点切換が行われる押釦スイッチ５と、この押釦スイッチ５の上面に一端部が回動自在に枢支され他端部を押圧して押釦ハンドル３２を押圧操作するピアノハンドル４３とからなる。
【００１５】
押釦スイッチ５の器体は、合成樹脂製のボディ５ａとカバー５ｂとで形成されており、規格化された既製の埋込型の配線器具の１個モジュール寸法に形成してある。そして、押釦スイッチ５の表面側の部材であるカバー５ｂには、既製の配線器具を埋設する場合に用いる取付枠２に着脱自在に取付可能とするために、両端面に一対の係止爪１１，１１を夫々突設してあり、一方の係止爪１１の背部には空所１２を形成し、係止爪１１が背方へ弾性的にたわむようにしてある。従って、既製の配線器具用の取付枠２に係止爪１１，１１を係止させて押釦スイッチ５を着脱自在に取り付けることができ、既製の埋込型の配線器具と同様にして壁面などの造営面に埋設できるようにしてある。ボディ５ａとカバー５ｂの結合はカバー５ｂより垂下した係止片３の係止孔４にボディ５ａの側面に形成してある係止突起６を係止させることにより行っており、係止時には係止片３の弾性と係止突起６の上端の傾斜面６ａを利用して簡単に係止ができるようになっている。
【００１６】
この押釦スイッチ５のボディ５ａ内の一端部に接続端子収納部１３を形成し、また、他端部に接続端子収納部１４を形成し、更に中央部に中央収納部２３を形成してあり、一端部の接続端子収納部１３に鎖錠ばね１１０を内装した端子板１５が収納され、また、他端部の接続端子収納部１４には鎖錠ばね１１０を内装した端子板１８が収納される。図中１１１はボディ５ａの両側に配置される２つの鎖錠ばね１１０の解除釦である。そして、端子板１５と鎖錠ばね１１０と解除釦１１１とで速結端子が構成してある。
【００１７】
ここで端子板１８には固定接点２５が固着された延設片１８ａを形成してあり、この延設片１８ａを隔壁６０ａに近接する中央収納部２３側に延出して、中央収納部２３内に固定接点２５を位置させている。
また端子板１５から中央収納部２３に支持片１５ａが延出してあり、開閉体２４が中央収納部２３内に入れられて導電体からなる各開閉体２４の下端が支持片１５ａ上に回動自在に立設してある。ここで、開閉体２４の両端下部に設けた突部を中央収納部２３の内側壁に形成されたＶ状凹部２７に嵌め込んで、Ｖ状凹部２７の下部を中心に回動自在となっている。開閉体２４には可動接点２９が設けてある。そして、開閉体２４の回動に応じて可動接点２９を固定接点２５に接離して、端子板１５と端子板１８との間の接続、切離を行う。
【００１８】
本実施形態においては上記のように固定接点２５と可動接点２９とで接点部１００が構成してある。上記接点部１００の開閉を行うための開閉体２４は反転ハンドル３１の反転回動により操作されるように構成してある。
すなわち、反転ハンドル３１の下部には下方に開口した筒部３１ａが並設してあり、反転ハンドル３１の下部の筒部３１ａにはコイルスプリング９９の上部が納められ、各コイルスプリング９９の下部が上記開閉体２４の上縁に係止され、反転ハンドル３１の回動に応じて開閉体２４を反転駆動するようになっている。
【００１９】
反転ハンドル３１は、両側に設けた逆三角形状の軸３１ｂをカバー５ｂの内壁に形成された軸受け９８に枢支して回動自在に取り付けられ、上部の両端にスライドカム３３に掛合する掛合突起３４を突設してある。押釦ハンドル３２はカバー５ｂに上下動自在に取り付けられ、下方に配置される復帰ばね３７により常時上方に付勢されている。スライドカム３３は両端下面に上記反転ハンドル３１の掛合突起３４に摺動係合する掛合カム体３８が形成され、押釦ハンドル３２の下面側において摺動自在に取り付けられ、内部に形成されたハ状の一対のばね片３３ａの間に押釦ハンドル３２の下面に形成している突起（図示せず）が挿入され、このばね片３３ａで復帰力を与えている。
【００２０】
図１に示すように、押釦スイッチ５の器体のカバー５ｂの表面側端部には横向きとなった軸部１９２が所定間隔を開けて２つ一体突設してある。これらの軸部１９２は上部が横向きの略円柱形状をしている。
ピアノハンドル４３は、図２（ａ）に示すように、裏面部の一端部に下開口がはめ込み用開口部となった穴１９１ａと金属製の軸受け用ばね体１９１ｂとで構成される軸受け部１９１が設けてある。穴１９１ａは内壁の片側に係止穴１９０を設け、穴１９１ａに収納される軸受け用ばね体１９１ｂの抜け止め爪１９１ｃを係止して軸受け用ばね体１９１ｂを固持している。軸受け用ばね体１９１ｂは先端を穴１９１ａ内へ突出するように曲げ形成し、この突出部１９１ｄと穴１９１ａとで軸部１９２を支持するようになっている。
【００２１】
下方に開口した穴１９１ａのはめ込み用開口部は上記突出部１９１ｄとで軸受け部１９１の内部よりも幅狭としており、前述の押釦スイッチ５の上部に設けた軸部１９２を図２（ｂ）に示すように弾性的にはめ込んだ場合、軸部１９２と軸受け部１９１との枢支結合が外れないようになっている。このように軸部１９２を軸受け部１９１に回動自在に嵌め込むことでピアノハンドル４３を回動自在に軸支する軸支部が構成される。そして、この軸支部を中心にしてピアノハンドル４３を回動させる場合、回動する方のピアノハンドル４３の裏面部に直接軸受け部１９１を設けてあることで、回動する方のピアノハンドル４３の裏面部に下方に長く突出する従来例における回動片のようなクリープ変形する部位が存在しなくなるものである。なお、ピアノハンドル４３の他端には背方に向けて抜け止め用の一対の抜止片４３ｂを突設してある。抜止片４３ｂが空所１２内に挿入され、ピアノハンドル４３が回動しても抜止片４３ｂの先端が空所１２から抜けないようになっている。
【００２２】
上記のようにピアノハンドル４３が押釦スイッチ５に取付けられるのであるが、ピアノハンドル４３を押圧操作すると、軸受け部１９１と軸部１９２との軸支部を中心にしてピアノハンドル４３がピアノタッチ式に回動する。そして、このピアノハンドル４３の回動により押釦スイッチ５の押釦ハンドル３２を押圧操作する。
【００２３】
次に、上記押釦スイッチ５の動作を簡単に説明する。図４の状態は固定接点２５に可動接点２９が接しているオンの状態である。いま、図４の状態で、ピアノハンドル４３を操作したとすると、ピアノハンドル４３の操作に伴って押釦ハンドル３２が復帰ばね３７に抗して押し下げられ、押釦ハンドル３２の押し下げによりスライドカム３３が下降する。そして、スライドカム３３の図中左側の係合カム体３８が、反転ハンドル３１の左側の掛合突起３４に当たることにより、反転ハンドル３１が回動される。このとき、反転ハンドル３１の回動に伴ってスライドカム３３が図中の左側にスライドしている。このようにして反転ハンドル３１が反転回動されると、コイルスプリングが反転して開閉体２４が反転し、可動接点２９が固定接点２５から離れてオフ状態となる。この反転後、ピアノハンドル４３の押し下げ力を解除すると、復帰ばね３７で押釦ハンドル３２が押し上げられ、このときピアノハンドル４３が元の状態に戻る。そして、これと同時にスライドカム３３もばね片３３ａのばね力で中央部に摺動復帰する。このオフ状態から再びピアノハンドル４３を押し下げ操作すると、上記とは逆に反転ハンドル３１が回動して可動接点２９が固定接点２５に接触してオンとなる。
【００２４】
押釦スイッチ５内には発光手段（図示せず）が設けてあり、この発光手段からの光を外部に出すための光透過性樹脂カバーが被着された透光窓１０１が押釦スイッチ５のカバー５ｂの軸部１９２，１９２間に設けられ、ピアノハンドル４３には透光窓１０１からの光が導光されて発光表示を行なう発光表示部１１３が設けてある。発光手段としては接点部１００がオンの場合に発光するものと、接点部１００がオフの場合に発光するものとがある。本実施形態の場合には発光手段がスイッチの存在を示すための所謂ほたる表示をするために可動接点２９が固定接点２５から離れてオフ状態となっている時発光する。そしてこの発光手段による発光はピアノハンドル４３に設けた発光表示部１１３で視認できる。また、図示は省略しているが、接点部１００がオンの場合に発光手段が発光するものの場合、接点部１００のオン、オフにより「入り」、「切り」される負荷（例えば空調装置）などの「入り」状態が発光表示部１１３において発光手段の発光により視認できるものである。
【００２５】
ところで、本発明においては、規格化された埋込型の配線器具の１個モジュールとなった押釦スイッチ５を取付ける取付枠２は一般に上記１個モジュールの押釦スイッチ５を上下方向に３個並べて取付けることができる３個モジュールに対応して取付窓を有するものであるが、この３個モジュールの取付け枠２には上記１個モジュールの押釦スイッチ５を１つ取付ける場合、２つ取付ける場合、３個取付ける場合がある。  ここで、３個モジュールの取付枠２に１個モジュールの押釦スイッチ５を１つ取付ける場合において押釦スイッチ５に取付けるピアノハンドル４３を１個用のピアノハンドル４３と称し、また、３個モジュールの取付け枠２に１個モジュールの押釦スイッチ５を２つ取付ける場合において該２つの押釦スイッチ５にそれぞれ取付けるピアノハンドル４３を２個用のピアノハンドル４３と称し、また、３個モジュールの取付け枠２に１個モジュールの押釦スイッチ５を３つ取付ける場合において該３つの押釦スイッチ５にそれぞれ取付けるピアノハンドル４３を３個用のピアノハンドル４３と称する。
【００２６】
上記種類のピアノハンドル４３は、（１個用のピアノハンドル４３の上下長さ）＝（２個用のピアノハンドル４３の上下長さ）×２＝（３個用のピアノハンドル４３の上下長さ）×３となっている。
また、３個用のピアノハンドル４３の上下長さは操作性を良くするため押釦スイッチ５よりも上下方向の長さを長くしてある。
【００２７】
図５には３個用のピアノハンドル４３を押釦スイッチ５に取付ける場合の例が示してある。ピアノハンドル４３の一端部の裏面部に設けられる軸受け部１９１は、所定間隔の一対の軸部１９２に対応する所定間隔で４つ設けられ、その内の両側の二つの軸受け部１９１に対応する軸受け用ばね体１９１ｂは一体に連結されている。
【００２８】
そして、図５に示すように取付け枠２に上下方向に３個の押釦スイッチ５を並べて取付けた場合、中間の押釦スイッチ５にピアノハンドル４３を取付ける場合には中央の二つの軸受け部１９１に中間の押釦スイッチ５の二つの軸部１９２をはめ込んで取付けるものであり、このことにより中間の押釦スイッチ５のセンターと該中間の押釦スイッチ５に取付けるピアノハンドル４３のセンターとが一致するように取付けられる。また、上の押釦スイッチ５にピアノハンドル４３を取付ける場合には下側の二つの軸受け部１９１に上の押釦スイッチ５の軸部１９２，１９２をはめ込んで取付けるものであり、このことにより上の押釦スイッチ５のセンターよりも上の押釦スイッチ５に取付けるピアノハンドル４３のセンターが上にずれて位置するように取付けられる。また、下の押釦スイッチ５にピアノハンドル４３を取付ける場合には上の二つの軸受け部１９１，１９１に下の押釦スイッチ５の軸部１９２，１９２を嵌め込んで取付けるものであり、このことにより下の押釦スイッチ５のセンターよりも下の押釦スイッチ５に取付けるピアノハンドル４３のセンターが下にずれて位置するように取付けられる。このようにすることで、共通の３個用のピアノハンドル４３として上用、中間用、下用のいずれにも共通して使用することができるものである。
【００２９】
ここで、上記３個用のピアノハンドル４３を用いたものにおいて、押釦スイッチ５に設けた発光手段からの光をピアノハンドル４３に設けた発光表示部１１３に導光して発光表示するに当たって、３個用のピアノハンドル４３には発光手段の光を発光表示部１１３に導光するためのプリズム２００が設けてある。
図６にはプリズム２００の一例が示してある。本実施形態においては、プリズム２００は図６に示すように、出射面２０１が三角波状をした凹凸形状となっている。凹凸形状となった出射面２０１の背方側から上下両側方に向けて側方突出プリズム部２０７が設けてあり、この側方突出プリズム２０７部は背面部に上用の押釦スイッチ５又は下用の押釦スイッチ５からの光を入射する入射面２０３を設け、入射面２０３から内部に入った光を側方突出プリズム２０７部内の第１の反射面と、第２の反射面で反射させて出射面２０１から出射させようになっている。また凹凸形状の出射面２０１の背方には中用の押釦スイッチ５の発光表示部１１３からの光が入射する凹部からなる入射面２０２を設けてあり、この入射面２０２の凹部の両側内壁面が傾斜して出射面２０１の背方に一端が至って非対称となっており、その傾斜面がプリズム２００内に導光された光の第２の反射面となっている。
【００３０】
上記の構成の図６に示すプリズム２００は３個用のピアノハンドル４３の背面側に出射面２０１が３個用のピアノハンドル４３に設けた発光表示部１１３に対向するように熱着等により取付けてある。ここで、本実施形態においては発光表示部１１３は光透過性樹脂により形成され、ピアノハンドル４３に裏面から表面に開口し、プリズム２００の出射面２０１部位を臨ませた穴にピアノハンドル４３の表面側から被着されているもので、中央部にレンズ部１１３ａを形成し、そのレンズ部１１３ａの裏面に傾きを持たせ、プリズム２００の非対称の第２の反射面と併せて上向き方向の視野角を上げて見や易くしてある。
【００３１】
しかして、中間の押釦スイッチ５に取付けた３個用のピアノハンドル４３においては図６に示すように入射面２０２が中用の押釦スイッチ５の透光窓１０１に対向し、また、上用の押釦スイッチ５に取付けられた３個用のピアノハンドル４３においては下側の側方突出プリズム部２０７の入射面２０３が上用の押釦スイッチ５の透光窓１０１に対向し、また、下用の押釦スイッチ５に取付けられた３個用のピアノハンドル４３においては上側の側方突出プリズム部２０７の入射面２０３が下の押釦スイッチ５の透光窓１０１に対向することになる。
【００３２】
そして、下用あるいは上用の押釦スイッチ５の透光窓１０１から出射された光は、模式図である図６（ａ）（ｃ）に示すように入射面２０３から側方プリズム部２０７に入射し、側方突出プリズム部２０７内で反射して凹凸形状の出射面２０１から発光表示部１１３に向けて出射するのである。また、中用押釦スイッチ５の透光窓１０１から発光された光は、図６（ｂ）に示すように入射面２０２から入射し、凹凸形状の出射面２０１から発光表示部１１３に向けて出射するのである。この場合、出射面２０１を三角波状の凹凸形状とすることで、各入射面２０３、２０２から入射した光を偏りなく出射面２０１から出射することができる。
【００３３】
図１に示す本実施形態は３個用のピアノハンドル４３にネームカード２５０を取付ける構造を有している。すなわち、ピアノハンドル４３の表面側に凹平面２５１を設け、該凹平面２５１の底にプレート出し入れ用の窓２５２を設け、この窓２５２にはピアノハンドル４３の裏面側から開閉自在に枢支された扉２５４を設けてあり、また凹平面２５２内には窓２５２に対応して配置されるネームカード２５０が見えるように中央部２５３ａが透明なネームカバー２５３が固着されている。
【００３４】
ここでネームカバー２５３は両側に夫々先端に向けて細くなっている一対の突起２５５を図７に示すように突設し、これに対応するようにピアノハンドル４３の窓２５２の両側に突起２５５を圧入するための圧入用孔２５６を穿設しており、突起２５５を圧入用孔２５６に図８（ａ）（ｂ）の模式図で示すように圧入してネームカバー２５３をピアノハンドル４３に固定するのである。
【００３５】
ここでネームカバー２５３のピアノハンドル４３に取り付ける方法としては、ネームカバー２５３の裏面に図９に示すように熱着用突起２５８を突起２２５と同様に突設し、、ピアノハンドル４３の凹平面２５１には図１０（ａ）に示すように裏面側が広径となった挿通孔２５７を穿設し、図１０（ｂ）に示すように突起２５８を挿通孔２５７に挿通させるようにして凹平面２５１内にネームカバー２５３を配置し、図１０（ｃ）に示すように挿通孔２５７の広径部に露出した突起２５８の先端を加熱して溶融させることにより潰して熱着する方法もある。
【００３６】
図９、図１０の場合には熱着によって固定した場合であるが、熱により突起２５３の先端を潰す代わりに圧力による潰して所謂圧着固定をしても良い。尚図面上は熱着も圧着も同じであるから、圧着についての図面は図９、図１０を参照して省略する。
また上記熱着は加熱によるものであるが、図１１（ａ）に示すようにネームカバー２５３裏面に超音波熱着用のＥＤ（突起部）２５９を一体に設け、図１１（ｂ）に示すようにネームカバー２５３を凹平面２５１内に配置した状態で超音波ホーン２６０を押し当ててＥＤ２５９部位を超音波により溶融させ、ネームカバー２５３を熱着しても良い。
【００３７】
尚この場合図１２、図１３に示すように凹平面２５１にネームカバー２５３を配置する際に仮固定するためにＥＤ２５９近傍に仮固定用の突起２６１を一体突設し、この突起２６１に対応する仮固定用の孔２６２をピアノハンドル４３の凹平面に設けても良い。
また図１４に示すように窓２５２の両側の凹平面２５１上にシート状の両面接着剤を２６３を配置して図１５（ａ）（ｂ）に示すように凹平面２５１上にネームカバー２５３を押し当てるようにして配置し、ネームカバー２５３を接着剤２６３により凹平面２５１に接着固定しても良い。
【００３８】
さて窓２５２に枢支する扉２５４は、図１６（ａ）（ｂ）に示すように一端の両側に軸体２６４ａ、２６４ｂを突設し、この軸体２６４ａ、２６４ｂを窓２５２の一端部の両側に、凹平面２５１側に開口するように設けた軸受け部２６５ａ，２６５ｂに回動自在に嵌め込んで軸体２６４ａ，２６４ｂを中心に窓２５２を開閉できるようになっている。この場合ネームカバー２５３が上述のように固定されることにより軸受け部２６５ａ，２６５ｂに嵌まった軸体２６４ａ，２６４ｂは脱落しないようになっている。
【００３９】
そして扉２５４の他端部の両側には突起２６６が設けられ、この突起２６６は窓２５２の他端部の両側に形成した係合部２６７に圧入係合して閉じた状態を保持するようになっている。
而してネームカード２５０を収納する場合には扉２５４を図１７（ａ）（ｂ）に示すように開いて、ネームカード２５３を窓２５２に嵌めてネームカバー２５３の裏面に載せ、この状態で扉２５を閉じれば扉２５４とネームカバー２５３との間にネームカード２５０が挟持され、ネームカバー２５３の中央部２５３ａより表側からネームカバー２５３の文字、数字、記号が視認できることなる。
【００４０】
尚扉２５４の両側に突出させた軸体２６４ａを他方の２６４ｂより長くし、この長さに対応する軸受け部２６５ａ、２６５ｂをピアノハンドル４３側に設けることにより、逆組み防止を図っている。勿論同じ長さにしても良い。
更に図１６、図１７で示す扉２５４は発光表示部１１３側と反対側の端部両側に軸体２６４ａ，２６４ｂを突設し、発光表示部１１３側に固持用の突起２６６を設けた構成であったが、その逆にしても良い。図１８（ａ）（ｂ）はその場合を示している。この場合、ピアノハンドル４３の構成は変わらず、軸受け部２６５ａ，２６５ｂが係合部を、逆に係合部２６７が軸受け部の役割を持つことになる。
【００４４】
ところで上記で説明した実施形態は発光表示部１１３を備えた１個モジュールの押釦スイッチ５を用い、３個モジュールの取付枠２に図１９に示すように３個取付けて夫々に３個用のピアノハンドル４３を取付けるものであったが、図２０、図２１には、発光表示部１１３を備えない押釦スイッチ５を用いた例を示している。この場合のネームカード２５０を収納する構造は上述した構造が適用できるのは勿論である。
【００４５】
また図２２、図２３のように３個モジュールの取付枠２に１個モジュールの押釦スイッチ５を２個取付け、この２個の各押釦スイッチ５にそれぞれ２個用のピアノハンドル４３を取付ける例が示してある。２個用のピアノハンドル４３においては、図２２のように一方の端部の上下方向の中間部に一対の軸受け部１９１，１９１が設けてあり、また、発光表示部１１３も上下方向の中間部に設けてあり、開口により構成した発光表示部１１３にはレンズ１７０の前端部を対置している。而して、この実施形態においては、図２３に示すように上用、下用のいずれの押釦スイッチ５にも共通の２個用のピアノハンドル４３が用いられる。尚レンズ１７０は熱着等でピアノハンドル４３の裏面に固定されている。
【００４６】
また、図２４には２個用のピアノハンドル４３にネームカード２５０の収納構造を備えているが発光表示部１１３を設けない場合の例を示してある。更にまた、図２５には３個モジュールの取付け枠２に１個モジュールの押釦スイッチ５を１個取付け、この１個の各押釦スイッチ５に図２６に示すように１個用のピアノハンドル４３を取付ける場合の例が示してある。１個用のピアノハンドル４３においては、図２５のように一方の端部の上下方向の中間部に軸受け部１９１，１９１が設けてあり、また、発光表示部１１３も上下方向の中間部に設けてあり、開口により形成した発光表示部１１３にはレンズ１７０が対置してある。
【００４７】
また、図２７には１個用のピアノハンドル４３にネームカード２５０の収納構造を備えているが発光表示部１１３を設けない場合の例が示してある。ところで、図２８（ａ）に示すように下面にインク層３００ａを形成したフィルム３００を成形金型３０１内に図２８（ｂ）に示すように設置し、図３０（ｃ）金型３０１内に樹脂液３０２を流し込んでインモールド転写成形を行い、この成形後型開きして成形されたネームカバー２５３を取り出すという方法によりネームカバー２５３の成形と同時にネームカバー２５３の表面にインク層３００ａをインモールド転写すれば、デザイン性に優れ、しかも裏面側に圧入用突起２５５等の突起を形成したネームカバー２５３を得ることができる。
【００４８】
また図２９（ａ）に示すように同様に予め成形したネームカバー２５３を受け治具３０３上に載置し、この載置したネームカバー２５３上に下面にインク層３００ａを形成したフィルム３００を載置し、このフィルム３００表面からホットスタンプ用治具３０４を押し当てて図２９（ｂ）に示すようにホットスタンプを行い、図２９（ｃ）のようにネームカバー２５３の表面にインク層を転写する方法を採用してもデザイン性に優れ、しかも裏面側に圧入用突起２５５を形成したネームカバー２５３を得ることができる。
【００４９】
また図３０（ａ）（ｂ）に示すようにピアノハンドル４３の表面を保護用フィルム３０５を貼着して表面を保護するようにしても良い、この場合表面に文字等を印刷しても良い。また斜線で示す部位を貼着しないようにし、施工後に保護用フィルム３０５を取り外す作業が容易となるようにしても良い。
尚図３０では１個用ピアノハンドル４３の場合を示したが、３個用、２個用のピアノハンドル４３に適用できるのは勿論である。
【００５０】
ところで、１個用のピアノハンドル４３に対応するネームカバー２５３で、熱着用突起２６１等の突起を裏面に形成する場合、図３１（ａ）に示すように中央部にのみ突起を形成している場合、突起が不安定要素となって矢印方向にがたつき図３１（ｂ）のように整列させて自動組立機に搬送することが難しいという問題があるが、図３２のように長手方向の両端裏面にも突起２６１等の突起を形成すればがたつきなく整列させることができる。
【００５１】
【発明の効果】
請求項１の発明は、押釦ハンドルが押し込まれたときに、この押釦ハンドルの押し込み動作にともなって反転ハンドルを反転回動させ、この反転ハンドルの反転回動に応じて接点部の切り換えを行うようにした押釦スイッチと、該接点部の切り換えを行うようにした押釦スイッチの上部に取付けられ上記押釦ハンドルをピアノタッチ操作で押圧する合成樹脂製のピアノハンドルとを備え、このピアノハンドルの表面側には、ピアノハンドルの裏面側との間で連通するネームカード出し入れ用の窓を底に開口した凹平面を設け、この凹平面内には上記窓に対応するようにピアノハンドルの裏面側から配置したネームカードが表面から見えるように光透過部位を備えた樹脂製のネームカバーを固着しているので、使用中にネームカバーの脱落がしたりするのを防止でき、ネームカバーの紛失、破損を防ぐことができ、また上記窓に対応して上記ピアノハンドルの裏面側から開閉する扉を、該扉の一端部の両側に突設した軸体を上記ピアノハンドル側に設けた軸受け部に回動自在に嵌め込むことで上記ピアノハンドルに開閉自在に枢支しているので、扉を開くことでピアノハンドルの裏面側からネームカード出し入れ用の窓に対応してネームカードの出し入れが容易に行え、扉の他端部の両側に、上記ピアノハンドル側に設けた係止部に係合して閉じられた状態を固持させる突起を設けているので、扉を閉じた状態が固持できる。
【００５５】
また請求項２の発明は、請求項１の発明において、扉には逆組防止の手段を設けたので、扉の組み込みを間違いなく行える。
【００５７】
請求項３の発明は、請求項１又は２の発明において、ネームカバーを成形する際に成形金型に、インク層を裏面に形成したフィルムを入れて成形時にインク層が表面に転写されたネームカバーを用いたので、デザイン上優れ、しかもネームカバー裏面に突起等固定するための手段を形成したネームカバーを得ることができる。
【００５８】
請求項４の発明は、請求項１又は２の発明において、インク層を裏面に形成したフィルムを表面に重ねてホットスタンプによりインク層が表面に転写されたネームカバーを用いたので、デザイン上優れ、しかもネームカバー裏面に突起等固定するための手段を形成したネームカバーを得ることができる。
【図面の簡単な説明】
【図１】本発明の一実施形態の分解斜視図である。
【図２】同上のピアノハンドルと押釦スイッチの枢支部の説明図である。
【図３】同上の押釦スイッチの分解斜視図である。
【図４】同上の側断面図である。
【図５】同上の３個用ピアノハンドルと押釦スイッチとの取付関係説明図である。
【図６】同上のプリズム部の説明図である。
【図７】同上のネームカバーの斜視図である。
【図８】同上のネームカバーの組立説明図である。
【図９】同上の別の例のネームカバーの斜視図である。
【図１０】同上の別の例のネームカバーの組立説明図である。
【図１１】同上の他の例のネームカバーの組立説明図である。
【図１２】同上のその他の例のネームカバーとピアノハンドルとの分解斜視図である。
【図１３】同上のその他の例のネームカバーの斜視図である。
【図１４】同上の更にその他の例のネームカバーとピアノハンドルとの分解斜視図である。
【図１５】同上の更にその他の例のネームカバーの組立説明図である。
【図１６】（ａ）は同上の扉の背面図である。
（ｂ）は同上の扉をピアノハンドルに取り付けた状態の一部省略せるピアノハンドルの背面図である。
【図１７】同上のネームカードの装着説明図である。
【図１８】（ａ）は同上の他の例の扉の背面図である。
（ｂ）は同上の他の例の扉をピアノハンドルに取り付けた状態の一部省略せるピアノハンドルの背面図である。
【図１９】同上の押釦スイッチを取付枠に３個取り付けてピアノハンドルを装着した状態の正面図である。 
【図２０】同上の別の例の押釦スイッチを取付枠に３個取り付け、ピアノハンドルを装着した状態の正面図である。
【図２１】  図２０における３個用ピアノハンドルと押釦スイッチとの取付関係説明図である。 
【図２２】本発明の２個用ピアノハンドルに対応した実施形態の分解斜視図である。 
【図２３】  同上の押釦スイッチを取付枠に２個取り付けて２個用ピアノハンドルを装着した状態の正面図である。 
【図２４】  同上の別の例の押釦スイッチを取付枠に２個取り付けて２個用ピアノハンドルを装着した状態の正面図である。 
【図２５】本発明の１個用ピアノハンドルに対応した実施形態の分解斜視図である。 
【図２６】同上の押釦スイッチを取付枠に１個取り付けて１個用ピアノハンドルを装着した状態の正面図である。 
【図２７】  同上の別の例の押釦スイッチを取付枠に１個取り付けて２個用ピアノハンドルを装着した状態の正面図である。 
【図２８】本発明に用いるネームカバーのフイルム転写方法の一例を示す説明図である。 
【図２９】本発明に用いるネームカバーのフイルム転写方法の他例を示す説明図である。 
【図３０】（ａ）は本発明の保護フィルムを被覆したピアノハンドルの正面図である。（ｂ）は本発明の保護フィルムを被覆したピアノハンドルの断面図である。 
【図３１】ネームカバーの搬送の説明図である。 
【図３２】本発明の整列搬送に対応したピアノハンドルの斜視図である。 
【図３３】従来例の断面図である。 
【符号の説明】
５ａ ボディ
５ｂ カバー
３２ 押釦
４３ ピアノハンドル
１０１ 透光窓
１１３ 発光表示部
１９１ 軸受け部
１９１ｂ 軸受け用ばね体
１９２ 軸部
２００ プリズム
２５０ ネームカード
２５１ 凹平面
２５２ 窓
２５３ ネームカバー
２５４ 扉
２５５ 圧入用突起
２５６ 圧入用孔
【図１】
0003591219.tif 000002
【図２】
0003591219.tif 000003
【図３】
0003591219.tif 000004
【図４】
0003591219.tif 000005
【図５】
0003591219.tif 000006
【図６】
0003591219.tif 000007
【図７】
0003591219.tif 000008
【図８】
0003591219.tif 000009
【図９】
0003591219.tif 000010
【図１０】
0003591219.tif 000011
【図１１】
0003591219.tif 000012
【図１２】
0003591219.tif 000013
【図１３】
0003591219.tif 000014
【図１４】
0003591219.tif 000015
【図１５】
0003591219.tif 000016
【図１６】
0003591219.tif 000017
【図１７】
0003591219.tif 000018
【図１８】
0003591219.tif 000019
【図１９】
0003591219.tif 000020
【図２０】
0003591219.tif 000021
【図２１】
0003591219.tif 000022
【図２２】
0003591219.tif 000023
【図２３】
0003591219.tif 000024
【図２４】
0003591219.tif 000025
【図２５】
0003591219.tif 000026
【図２６】
0003591219.tif 000027
【図２７】
0003591219.tif 000028
【図２８】
0003591219.tif 000029
【図２９】
0003591219.tif 000030
【図３０】
0003591219.tif 000031
【図３１】
0003591219.tif 000032
【図３２】
0003591219.tif 000033
【図３３】
0003591219.tif 000034